【事件の表示】
　平成　５年特許願第２９９１４２号「電子写真感光体」拒絶査定に対する審判事件〔平成　７年　５月１９日出願公開、特開平　７−１２８８８７、請求項の数（１）〕について、次のとおり審決する。
【結　論】
　原査定を取り消す。
　本願の発明は、特許すべきものとする。
【理　由】
　１．手続きの経緯・本願発明　
　本願は、平成５年１１月５日の出願であって、平成１２年９月５日付けで拒絶の理由が通知され、平成１２年１１月２８日付けで拒絶の査定がなされたものであり、その請求項１に係る発明は次のおりのものである。　
「　【請求項１】　基体上に感光層を有する電子写真感光体において、感光層がｘ型無金属フタロシアニン結晶を含有し、該ｘ型無金属フタロシアニン結晶として、熱天秤で昇温した時の室温から４００℃までの熱重量減少率が１．０％以下であるものを用いたことを特徴とする電子写真感光体。」　
　
　２．原査定の概要　
　原査定の拒絶の理由は、本願請求項１に係る発明は、その出願前日本国内で頒布された、　
　引用文献１：特開平５−１７３３４８号公報　
　引用文献２：特開昭６０−２４３０８９号公報　
　引用文献３：特開平４−３２８１７０号公報　
　引用文献４：特開平５−４３８１３号公報　
　引用文献５：特開平５−２７１２５２号公報　
　引用文献６：特開平５−２７１２５３号公報　
　引用文献７：特開平５−２５５８５５号公報　
　引用文献８：特開平５−１１６９３７号公報　
　引用文献９：特開平２−２５４３３９号公報　
　引用文献１０：特開平１−１７２４５９号公報　
　引用文献１１：特開平３−２４０５９号公報　
　引用文献１２：特開平４−２４０８６０号公報　
　引用文献１３：特開平２−８２５１号公報　
　引用文献１４：特開平５−２８１７７０号公報　
に記載された発明に基づいて当業者が容易に発明をすることができたものであるから、特許法第２９条第２項の規定により特許を受けることができない、というものである。　
　
　３．当審の判断　
　3.1　引用文献１ないし１４の記載事項　
（１）引用文献１
　感光層に無金属フタロシアニン顔料を含有し、かつ該無金属フタロシアニン顔料のＳ元素の含有量が０．０５〜０．６０重量％である電子写真感光体が記載され（請求項１）、Ｓ元素の含有量を上記の範囲に調整するために、精製工程における硫酸での処理条件を調整することが記載されている（第２欄２０〜２３行）。
（２）引用文献２
　高純度のｘ型無金属フタロシアニンの製造方法に関し、フタロニトリルを強塩基の存在下に反応させて得た無金属フタロシアニンの粗製物に対し溶媒可溶化処理を施し、得られた可溶化物を溶媒で精製処理し、得られた精製可溶化物を復元処理することにより、高純度の無金属フタロシアニンを取得し、次いでボールミリングして結晶構造をｘ型に変換して、高純度のｘ型無金属フタロシアニンを得ることが記載されている（請求項１）。また、該ｘ型無金属フタロシアニンの電子写真特性についての記載もある。
（３）引用文献３
　無金属フタロシアニンを、無金属フタロシアニンと塩を形成し得る酸の塩の存在下で、乾式摩砕して無金属フタロシアニン顔料を得ること（請求項１）、そして乾式摩砕はその酸の塩１００〜３０００ｐｐｍの存在下で行うことが記載されている（請求項５）。また、該無金属フタロシアニンを含む電子写真写真感光体について記載されている。
（４）引用文献４
　電子写真感光体に用いられるオキシチタニウムフタロシアニン水和物結晶の製造方法に関し、該オキシチタニウムフタロシアニン水和物結晶の２００℃まで昇温時の熱重量減少量が０．６〜３％であることが記載されている（請求項３）。　
　そして、該オキシチタニウムフタロシアニン水和物結晶を用いることにより繰り返し安定性、環境安定性の優れた電子写真感光体を得ることができる旨の記載がある（段落【００３９】）。
（５）引用文献５
　熱重量分析によって測定される不純物気化量が０．０１％未満の、高純度β-ジケトネート鉛錯体が記載されている。
（６）引用文献６
　熱重量分析によって測定される不純物気化量が０．０１重量％未満の、高純度チタン錯体が記載されている。
（７）引用文献７
　熱重量分析によって測定される不純物蒸発量が０．０１％未満の、アルカリ土類金属の高純度β-ジケトネート錯体が記載されている。
（８）引用文献８
　バリウムのオキシ塩を硫黄含有種と反応させて高純度硫酸バリウムを調製する方法が記載され、ＴＧＡ（熱重量分析）示差熱分析曲線が示されている。
（９）引用文献９
　揮発性精練材料中の蒸発残留物の定量装置に関して、セレン等の揮発性精練材料の不純物を測定することが記載されている。
（１０）引用文献１０
　チタニウムフタロシアニン化合物を１００℃以上に加熱して不純物を除去した高純度のものを含む電子写真感光体が記載されている。
（１１）引用文献１１
　未精製のペリレン顔料を加熱して、揮発性の不純物および分解生成物を分離し、３５０〜５５０℃で高純度のペリレン顔料を得ること、それを像形成材料に用いることが記載されている。
（１２）引用文献１２
　電荷発生剤として、低圧ガス中蒸発法により精製された昇華性顔料の微粒子を含有する電子写真感光体が記載されている。
（１３）引用文献１３
　昇華温度３５０〜４１０℃で精製された多環キノン系顔料を含む電子写真感光体が記載されている。
（１４）引用文献１４
　粒状化未精製光発生顔料を２５０〜５００℃の温度で昇華させ、次いで昇華温度を最初の昇華温度より１０〜１００℃上げて基体上に付着させることが記載され、それを用いた像形成部材も記載されている。
　
　3.2　請求項１に係る発明（以下、「本願発明」という。）と引用文献に記載の発明との対比判断
　引用文献１には、特定の範囲のＳ元素含有量を有する無金属フタロシアニンを用いた電子写真感光体が記載されているのみであって、無金属フタロシアニンがｘ型の結晶であることも、熱天秤で昇温した時の室温から４００℃までの熱重量減少率が１．０％以下であることも何等示唆する記載がない。
　引用文献２には、高純度のｘ型無金属フタロシアニンを得ることは記載されているが、熱天秤で昇温した時の室温から４００℃までの熱重量減少率が１．０％以下のｘ型無金属フタロシアニン結晶を得ることについては何等示唆する記載がない。
　引用文献３には、特定の範囲の硫酸塩を含む無金属フタロシアニンを用いた電子写真感光体が記載されているのみであって、無金属フタロシアニンとして、ｘ型のものについて、熱天秤で昇温した時の室温から４００℃までの熱重量減少率が１．０％以下のものを用いることについては何等示唆する記載がない。
　引用文献４には、２００℃まで昇温時の熱重量減少量が０．６〜３％のオキシチタニウムフタロシアニン水和物結晶を電子写真感光体に用いることが記載されているが、そこに記載のものはｘ型無金属フタロシアニン結晶に関するものではなく、また熱重量減少量も、２００℃までの昇温におけるものであって、熱天秤で昇温した時の室温から４００℃までの熱重量減少率ではない。
　引用文献５〜９には、β-ジケトネート鉛錯体、チタン錯体、アルカリ土類金属のβ-ジケトネート錯体、硫酸バリウム、およびセレン等の揮発性精練材料の不純物が、熱重量分析により定量されることが記載されているにすぎず、ｘ型無金属フタロシアニン結晶を用いた電子写真感光体に関しては何等記載されていないのみならず、電子写真感光体において、熱天秤で昇温した時の室温から４００℃までの熱重量減少率が１．０％以下のものを用いることに関して示唆する記載がない。
　引用文献１０〜１４には、電子写真感光体に関する記載はあるが、その感光体に用いる光導電性物質は本願発明におけるｘ型無金属フタロシアニンとは全く異なるものであり、しかも、熱天秤で昇温した時の室温から４００℃までの熱重量減少率が１．０％以下であることについて記載がない。これらの引用文献１０〜１４には、種々の有機顔料の精製が加熱によって行われることを教示するに過ぎない。
　
　以上詳記したように、引用文献１〜１４のいずれにも、ｘ型無金属フタロシアニン結晶として、熱天秤で昇温した時の室温から４００℃までの熱重量減少率が１．０％以下のものを用いた電子写真感光体について記載又は示唆するものはない。
　そして、本願発明は「熱天秤で４００℃までの熱重量減少率が１．０％以下であるｘ型無金属フタロシアニン結晶を感光層に含有させることにより、高感度で良好な電子写真特性を示し、繰り返し使用時の電位特性が安定で、耐久性に優れた電子写真感光体を得ることができる。したがって、本発明の電子写真感光体は、電子写真複写機に効果的に使用されるが、更にレーザービームプリンター、ＬＥＤプリンター、ＣＲＴプリンターや、マイクロフィルムリーダー、普通紙ＦＡＸ、電子写真製版システム等に適用可能である。」との優れた効果を奏するものである。（明細書段落【００２６】の【発明の効果】参照）
　このことは、本願明細書の実施例１〜４と比較例１との比較によって立証され、上記引用文献１〜１４に記載のものからは予期することはできない顕著な効果である。
　したがって、本願発明が引用文献１〜１４に記載の発明に基づいて当業者が容易に発明をすることができるものとすることはできない。
　
　４．まとめ　
　以上のとおりであるから、原査定の理由及び証拠によっては本願を拒絶することはできない。　
　又、他に本願を拒絶すべき理由を発見しない。
　よって、結論のとおり審決する。